(57)【要約】【課題】長さの制約を受ける板状バネのバネ付勢力を高めるともに、その厚さを可及的に薄くする。【解決手段】始端位置にある時には、スライダー５は板状バネ１０により保持され、スライダー５のスライドと連動して板状バネ１０が押され、板状バネ１０が最も縮んだ状態を過ぎると、スライダー５は、板状バネ１０によって開放方向へ付勢され、全開位置で保持される。蓋体部３は、金属板などからなる板状バネ１０で付勢され、板状バネ１０が介在するベース４とスライダー５との隙間を可及的に狭く設定することができるとともに、縦片１１に屈曲部１５を形成することにより、板状バネ１０が最も縮んだ状態において、縦片１１とリング状部１３との干渉を回避できる。【選択図】図２
2009081499.tif 000002
【特許請求の範囲】
【請求項１】
平面内で弾性的に伸縮する板状バネであり、該板状バネは、該平面内の一つの方向に弾性的に伸縮する連続した蛇行状の波形部と、この波形部の両端部に位置した取付部とを備え、該波形部は前記板状バネの前記一つの伸縮方向と交差した方向で略平行に並設された複数の縦片部と、それらの隣接した２本の縦片部の各端部を交互に折り返して連続させるターン部から成り、前記取付部は外部機器に該板状バネを枢支するためリング状部を形成したことを特徴とする板状バネ。
【請求項２】
前記縦片には、前記波形部が縮んだ際に、前記リング状部との追突を迂回する屈曲部が形成されていることを特徴とする請求項１記載の板状バネ。
【請求項３】
前記各縦片は、ターン部から各縦片の中央部に向かって幅狭に形成したことを特徴とする請求項１又は請求項２記載の板状バネ。
【請求項４】
前記板状バネは、帯状の板材から打ち抜いて蛇行状の波形部及びリング状部を成形したことを特徴とする請求項１乃至請求項３の内の一つの請求項に記載の板状バネ。
【請求項５】
板状のベースとこのベースの上面側に重ね合わせた板状のスライダーと、このスライダーの板状面を前記ベースの板状面に沿ってスライドさせるガイド機構と、前記スライダーの板状面とベースの板状面との間に介在して前記スライダーを付勢させる弾性手段とを備え、前記弾性手段によって前記スライダーが収縮位置で保持されるとともに、前記スライダーの摺動動作に伴ってスライダーを伸長方向に付勢するように構成したスライド機構において、前記弾性手段が板状バネから成り、この板状バネは、可撓性を有して蛇行状に連続した波形部と、この波形部の両端部に位置して前記ベースと前記スライダーとにそれぞれ枢支される取付部とを備え、前記スライダーの収縮・伸長動作に伴って前記波形部を伸縮させてスライダーを収縮・伸長方向に付勢したことを特徴とするスライド機構。
【請求項６】
前記波形部は、並設する複数の縦片と、その各縦片の一端部を交互に折り返して隣接する各縦片を連結するターン部とを有するとともに、前記取付部が前記ベースとスライダーに枢支するためのリング状に形成され、前記縦片には、前記波形部が縮んだ際、前記取付部を迂回するための屈曲部が形成されていることを特徴とする請求項５記載のスライド機構。
【請求項７】
前記各縦片は、ターン部から各縦片の中央部に向かって幅狭に形成したことを特徴とする請求項６記載のスライド機構。
【請求項８】
板状のベースとこのベースの上面側に重ね合わせた板状のスライダーと、このスライダーの板状面を前記ベースの板状面に沿ってスライドさせるガイド機構と、前記スライダーの板状面とベースの板状面との間に介在して前記スライダーを付勢させる弾性手段とを備え、
前記板状のベースを携帯電話機の本体部に取り付け、前記板状のスライダーを携帯電話機の蓋体部に取り付けるようにし、前記本体部にはテンキー等の操作スイッチ群を設け、前記蓋体部には液晶ディスプレイ等の表示手段を設け、
前記スライド機構により、前記スライダーが収縮位置で保持されると前記蓋体部は格納位置に保持されるとともに、前記スライダーの摺動動作に伴って前記蓋体部を開方向に付勢するように構成しており、
前記弾性手段は板状バネから成り、この板状バネは、可撓性を有して蛇行状に連続した波形部と、この波形部の両端部に位置して前記ベースと前記スライダーとにそれぞれ枢支される取付部とを備え、前記スライダーの収縮・伸長動作に伴って前記波形部を伸縮させて携帯電話の前記蓋体部を格納・開方向に付勢したことを特徴とするスライド機構を備えた携帯電話機。
【発明の詳細な説明】
【技術分野】
【０００１】
本発明は、直線方向に開閉可能にスライドさせる板状バネ、スライド機構及びそのスライド機構を備えた携帯電話機、特に、本体部に対して蓋体部をスライドさせて開閉させる携帯電話機において蓋体部を格納・開方向に付勢させる板状バネ、スライド機構及びそのスライド機構を備えた携帯電話機に関するものである。
【背景技術】
【０００２】
例えば携帯電話機において、操作キーや送話部を備えた本体部と、液晶表示画面や受話部を備えた蓋体部とを有し、本体部側に設けたベースの上面に、蓋体部に設けたスライダーを重ね合わせ、ベースに設けたガイド機構に沿わせてスライダーをスライド自在に案内することによって、蓋体部を直線方向にスライドさせる携帯電話機が知られている。このようなスライド機構を備えた携帯電話機は、スライダーとベースとの間に弾性手段を介在させ、この弾性手段によって、スライダーが格納位置で保持され、弾性手段の付勢力に抗してスライダーを所定位置まで手動によりスライドさせると、所定位置を越えた時点でスライダーが弾性手段の弾性力によって開方向に付勢されるように構成され、従来、この種のスライド機構を備えた携帯電話に用いられる弾性手段として特許文献１、特許文献２などではコイルバネを用い、特許文献３、特許文献４などではトーションバネを用いたものが公知である。さらに、携帯電話に組み込まれたカメラのレンズを覆うスライドカバーの弾性手段としてバネ材を用いるものとして、特許文献５ではトーションバネのアーム部を波形状に屈曲させた構造のもの、あるいは特許文献６で示すように、トーションバネを平面視でＷ字状に形成することによって、トーションバネのアーム部が直線的な構造に比べてスライドカバーのスライド量を大きく設定できるように構成したものが公知である。
【０００３】
【特許文献１】特開２００５−１２４１１６号公報
【特許文献２】特開２００６−８１１０７号公報
【特許文献３】特開２００５−２１０６４９号公報
【特許文献４】特開２００６−２７０８０４号公報
【特許文献５】特開２００５−３１１５１０号公報
【特許文献６】特開２００６−５０２０４号公報
【発明の開示】
【発明が解決しようとする課題】
【０００４】
ところで、前記スライド機構を備えた携帯電話機に用いられる弾性手段は、構造的にベースとスライダーの間に設けられているため、極力、薄形化することが望ましい。しかし、特許文献１、２などのようなコイルバネは、コイル部分を薄形化することが難しいばかりでなく、コイル部分とベース及びスライダーとが接触しないようにクリアランスも必要となるため、スライド機構、ひいては携帯電話機の薄形化が困難となる。一方、特許文献３、４などのようにトーションバネは、強いトルク（バネ圧）を発生させるためには、トーションバネの線径を太く、かつ、バネ部の巻き回し数も多く必要となるため、やはりある程度、バネ部の高さが必要となるから、スライド機構の薄形化の妨げとなる。また、特許文献５、特許文献６に示すトーションバネのアーム部を波形状に屈曲させた構造のもの、あるいは特許文献６で示すように、トーションバネを平面視でＷ字状に形成するものについても、結局、一周巻き回したループ部（バネ部）を形成することから、トーションバネの厚み（高さ）は、トーションバネの素材を構成する線状又は薄板の厚さが全体として二倍となるから、スライド機構の薄形化の点で依然として課題が残る。特に、近年の携帯電話機は、蓋体部に備える液晶表示画面が大形化する傾向にあるとともに、カメラ機能などの付加機能も増えることから蓋体部の重さも増加し、蓋体部を付勢させる弾性手段は、バネ付勢力がより強いものが要求され、かつ、薄形化することが要求される。
【０００５】
本発明は、前記課題を解決するためになされたものであって、スライド機構を極力、薄形化できるとともに、強い力でスライダーを安定的に付勢することができる板状バネ、スライド機構及びそのスライド機構を備えた携帯電話機を提供することを目的とする。
【課題を解決するための手段】
【０００６】
本発明の請求項１記載の板状バネは、平面内で弾性的に伸縮する板状バネであり、該板状バネは、該平面内の一つの方向に弾性的に伸縮する連続した蛇行状の波形部と、この波形部の両端部に位置した取付部とを備え、該波形部は前記板状バネの前記一つの伸縮方向と交差した方向で略平行に並設された複数の縦片部と、それらの隣接した２本の縦片部の各端部を交互に折り返して連続させるターン部から成り、前記取付部は外部機器に該板状バネを枢支するためリング状部を形成したことを特徴とする。
【０００７】
請求項１の構成により、板状バネが、平面内で弾性的に伸縮する波形部から構成されているから、素材自体の厚さのまま平面的に連続する板状バネを形成することができる。
【０００８】
本発明の請求項２記載の板状バネは、前記縦片には、前記波形部が縮んだ際に、前記リング状部との追突を迂回する屈曲部が形成されていることを特徴とする。
【０００９】
請求項２記載の構成により、板状バネの波形部が最も縮んだ状態において、板状バネは、最大荷重を受けることになり、その弾性復元力が板状バネの付勢力となる。この板状バネの波形部が最も縮んだ状態において、リング状部を迂回する屈曲部によって、そのリング状部と縦片との干渉を避けることが可能となる。
【００１０】
本発明の請求項３記載の板状バネは、前記各縦片は、ターン部から各縦片の中央部に向かって幅狭に形成したことを特徴とする。
【００１１】
請求項３の構成により、板状バネの波形部が最も縮んだ状態において、縦片の中央部を細く形成することで、よりリング状部と縦片との干渉を避けることが可能となる。
【００１２】
本発明の請求項４記載の板状バネは、前記板状バネは、帯状の板材から打ち抜いて蛇行状の波形部及びリング状部を成形したことを特徴とする。
【００１３】
請求項４の構成により、薄板帯状の板材を打ち抜くことによって、素材自体の厚さのまま平面的に連続する板状バネを成形できる。
【００１４】
本発明の請求項５記載のスライド機構は、板状のベースとこのベースの上面側に重ね合わせた板状のスライダーと、このスライダーの板状面を前記ベースの板状面に沿ってスライドさせるガイド機構と、前記スライダーの板状面とベースの板状面との間に介在して前記スライダーを付勢させる弾性手段とを備え、前記弾性手段によって前記スライダーが収縮位置で保持されるとともに、前記スライダーの摺動動作に伴ってスライダーを伸長方向に付勢するように構成したスライド機構において、前記弾性手段が板状バネから成り、この板状バネは、可撓性を有して蛇行状に連続した波形部と、この波形部の両端部に位置して前記ベースと前記スライダーとにそれぞれ枢支される取付部とを備え、前記スライダーの収縮・伸長動作に伴って前記波形部を伸縮させてスライダーを収縮・伸長方向に付勢したことを特徴とする。
【００１５】
請求項５の構成により、スライダーがベースの始端位置（格納位置）にある時には、板状バネの波形部が初期状態（伸び切った状態から適当量撓んだ状態）であり、スライダーは始点保持部材によって位置規制され、かつ、板状バネによって始端位置に付勢保持された状態で保持される。この状態から、スライダーをスライドさせると、スライダーのスライド移動に伴って板状バネの波形部が幅方向に押され、板状バネの取付部を枢支するボス部間が最短距離となった位置が板状バネの波形部が最も縮んだ状態となる。この板状バネの波形部が最も縮んだ状態からさらにスライダーを開放方向にスライドさせていくと、スライダー側の枢支部の移動により、板状バネの波形部が変位してスライダーには板状バネの波形部が伸びる弾性復元力が作用する。これにより、スライダーは板状バネの付勢力によって開放方向へ付勢され、スライダーは自動的にスライドし、板状バネの波形部が初期状態（伸び切った状態から適当量撓んだ状態）でスライダーの全開位置となる。
【００１６】
本発明の請求項６記載のスライド機構は、前記波形部は、並設する複数の縦片と、その各縦片の一端部を交互に折り返して隣接する各縦片を連結するターン部とを有するとともに、前記取付部が前記ベースとスライダーに枢支するためのリング状に形成され、前記縦片には、前記波形部が縮んだ際、前記取付部を迂回するための屈曲部が形成されていることを特徴とする。
【００１７】
請求項６の構成により、スライダーのスライド移動に伴って板状バネの波形部が最も縮んだ状態において、板状バネは、最大荷重を受けることになり、その弾性復元力がスライダーの付勢力となるから、その付勢力を高めるためには、板状バネの波形部が最も縮んだ状態でより多くの縦片のターン数を確保することが重要となる。一方、スライダーのスライド動作に連動して板状バネの波形部が変位する構造上、板状バネの両端にはベースとスライダーに枢支するための取付部は、構造的にリング状となるから、板状バネの波形部が最も縮んだ状態において、リング状の取付部を迂回する屈曲部によって、その取付部と縦片との干渉を避けることが可能となる。
【００１８】
本発明の請求項７記載のスライド機構は、前記各縦片は、ターン部から各縦片の中央部に向かって幅狭に形成したことを特徴とする。
【００１９】
請求項７の構成により、板状バネの波形部が最も縮んだ状態において、縦片の中央部を細く形成することで、より板状バネの取付部と縦片との干渉を避けることが可能となる。
【００２０】
本発明の請求項８記載のスライド機構を備えた携帯電話機は、板状のベースとこのベースの上面側に重ね合わせた板状のスライダーと、このスライダーの板状面を前記ベースの板状面に沿ってスライドさせるガイド機構と、前記スライダーの板状面とベースの板状面との間に介在して前記スライダーを付勢させる弾性手段とを備え、前記板状のベースを携帯電話機の本体部に取り付け、前記板状のスライダーを携帯電話機の蓋体部に取り付けるようにし、前記本体部にはテンキー等の操作スイッチ群を設け、前記蓋体部には液晶ディスプレイ等の表示手段を設け、前記スライド機構により、前記スライダーが収縮位置で保持されると前記蓋体部は格納位置に保持されるとともに、前記スライダーの摺動動作に伴って前記蓋体部を開方向に付勢するように構成しており、前記弾性手段は板状バネから成り、この板状バネは、可撓性を有して蛇行状に連続した波形部と、この波形部の両端部に位置して前記ベースと前記スライダーとにそれぞれ枢支される取付部とを備え、前記スライダーの収縮・伸長動作に伴って前記波形部を伸縮させて携帯電話の前記蓋体部を格納・開方向に付勢したことを特徴とする。
【００２１】
請求項８の構成により、携帯電話機の蓋体部（スライダー）が携帯電話機の本体部（ベース）の始端位置（格納位置）にある時には、板状バネの波形部が初期状態（伸び切った状態から適当量撓んだ状態）であり、蓋体部は始点保持部材によって位置規制され、かつ、板状バネによって始端位置に付勢保持された状態で保持される。この状態から、蓋体部をスライドさせると、蓋体部のスライド移動に伴って板状バネの波形部が幅方向に押され、板状バネの取付部を枢支するボス部間が最短距離となった位置が板状バネの波形部が最も縮んだ状態となる。この板状バネの波形部が最も縮んだ状態からさらに蓋体部を開放方向にスライドさせていくと、スライダー側の枢支部の移動により、板状バネの波形部が変位して蓋体部には板状バネの波形部が伸びる弾性復元力が作用する。これにより、蓋体部は板状バネの付勢力によって開放方向へ付勢され、蓋体部は自動的にスライドし、板状バネの波形部が初期状態（伸び切った状態から適当量撓んだ状態）で蓋体部の全開位置となる。
【発明の効果】
【００２２】
本発明の請求項１記載の板状バネによれば、平面内で弾性的に伸縮する板状バネであり、該板状バネは、該平面内の一つの方向に弾性的に伸縮する連続した蛇行状の波形部と、この波形部の両端部に位置した取付部とを備え、該波形部は前記板状バネの前記一つの伸縮方向と交差した方向で略平行に並設された複数の縦片部と、それらの隣接した２本の縦片部の各端部を交互に折り返して連続させるターン部から成り、前記取付部は外部機器に該板状バネを枢支するためリング状部を形成したものであるから、平面的に連続する厚さを有する板状バネを形成でき、板状バネの薄形化を図ることができるとともに、付勢力の強い板状バネとすることができる。
【００２３】
本発明の請求項２記載の板状バネによれば、前記縦片には、前記波形部が縮んだ際に、前記リング状部との追突を迂回する屈曲部が形成されているから、波形部が縮んだ状態において、板状バネの両端に形成するリング状部と各縦片との干渉を防止することによって、長さに制約される部位に用いる板状バネにおいて、リング状部間に並設する板状バネの縦片の数を増やして板状バネの付勢力を高めることができる。
【００２４】
本発明の請求項３記載の板状バネによれば、前記各縦片は、ターン部から各縦片の中央部に向かって幅狭に形成したものであるから、波形部が縮んだ状態において、板状バネの両端に形成するリング状部と各縦片との干渉をより確実に防止することができる。
【００２５】
本発明の請求項４記載の板状バネは、前記板状バネは、帯状の板材から打ち抜いて蛇行状の波形部及びリング状部を成形したものであるから、薄い帯状の金属板などを打ち抜き加工して板状バネを極めて薄く成形することができる
【００２６】
本発明の請求項５記載のスライド機構によれば、板状のベースとこのベースの上面側に重ね合わせた板状のスライダーと、このスライダーの板状面を前記ベースの板状面に沿ってスライドさせるガイド機構と、前記スライダーの板状面とベースの板状面との間に介在して前記スライダーを付勢させる弾性手段とを備え、前記弾性手段によって前記スライダーが収縮位置で保持されるとともに、前記スライダーの摺動動作に伴ってスライダーを伸長方向に付勢するように構成したスライド機構において、前記弾性手段が板状バネから成り、この板状バネは、可撓性を有して蛇行状に連続した波形部と、この波形部の両端部に位置して前記ベースと前記スライダーとにそれぞれ枢支される取付部とを備え、前記スライダーの収縮・伸長動作に伴って前記波形部を伸縮させてスライダーを収縮・伸長方向に付勢したものであるから、スライダーはベースに対して板状バネの付勢力によって、波形部が最も縮んだ位置を境界として格納・開方向に付勢されることから、スライダーをセミオートで開閉されることが可能であるとともに、スライダーを付勢する板状バネは、薄い金属製の帯板などを打ち抜き加工して極めて薄く成形することができるため、ベースとスライダーとの隙間を可及的に狭く設定することができる。
【００２７】
本発明の請求項６記載のスライド機構によれば、前記波形部は、並設する複数の縦片と、その各縦片の一端部を交互に折り返して隣接する各縦片を連結するターン部とを有するとともに、前記取付部が前記ベースとスライダーに枢支するためのリング状に形成され、前記縦片には、前記波形部が縮んだ際、前記取付部を迂回するための屈曲部が形成されているものであるから、波形部が縮んだ状態において、板状バネの両端に形成するリング状の取付部と各縦片との干渉を防止することができ、長さに制約される板状バネにおいて、取付部の間に並設する板状バネの縦片の数を増やして板状バネによるスライダーの付勢力を高めることができる。
【００２８】
本発明の請求項７記載のスライド機構によれば、前記各縦片は、ターン部から各縦片の中央部に向かって幅狭に形成したものであるから、波形部が縮んだ状態において、板状バネの両端に形成するリング状の取付部と各縦片との干渉をより確実に防止することができる。
【００２９】
本発明の請求項８記載のスライド機構を備えた携帯電話機によれば、板状のベースとこのベースの上面側に重ね合わせた板状のスライダーと、このスライダーの板状面を前記ベースの板状面に沿ってスライドさせるガイド機構と、前記スライダーの板状面とベースの板状面との間に介在して前記スライダーを付勢させる弾性手段とを備え、前記板状のベースを携帯電話機の本体部に取り付け、前記板状のスライダーを携帯電話機の蓋体部に取り付けるようにし、前記本体部にはテンキー等の操作スイッチ群を設け、前記蓋体部には液晶ディスプレイ等の表示手段を設け、前記スライド機構により、前記スライダーが収縮位置で保持されると前記蓋体部は格納位置に保持されるとともに、前記スライダーの摺動動作に伴って前記蓋体部を開方向に付勢するように構成しており、前記弾性手段は板状バネから成り、この板状バネは、可撓性を有して蛇行状に連続した波形部と、この波形部の両端部に位置して前記ベースと前記スライダーとにそれぞれ枢支される取付部とを備え、前記スライダーの収縮・伸長動作に伴って前記波形部を伸縮させて携帯電話の前記蓋体部を格納・開方向に付勢したものであるから、スライダー機構の薄形化により、スライド機構を備えた携帯電話機の薄形化を図ることができる。
【発明を実施するための最良の形態】
【００３０】
本発明の実施の形態を実施例に基づき図面を参照して説明する。図１〜図８は本発明の一実施例を示し、図１は本発明の一実施例を示す携帯電話機の平面図、図２はスライド機構の分解斜視図、図３はスライド機構の組み付け状態を示す斜視図、図４はスライド機構のガイド機構を示す断面図、図５はスライド機構を示す断面図、図６は板状バネを示す斜視図、図７はスライド機構の動作を説明する斜視図、図８はスライドした状態を示す携帯電話機の透視斜視図である。
【００３１】
図１に示すように携帯電話機１は、操作スイッチ群２Ａなどを備える本体部２と、液晶ディスプレイ等の表示手段３Ａなどを備える蓋体部３とで構成され、その本体部２側にスライド機構を構成するベース４を固定し、蓋体部３側にはスライダー５が固定されている。スライダー５はベース４の表面に重ね合わせて配置され、かつ、スライダー５がガイド機構によってベース４の長手方向に沿ってスライド可能に取り付けられている。前記ガイド機構は、図４に示すようにベース４の両側にコ字形に折り曲げた左右一対のガイドレール６と、スライダー５の両側からＬ字状に折曲した左右一対の折曲片７とで構成されている。また、スライダー５の折曲片７は、この折曲片７を被覆するカバー８がインサート成形などによって一体化されている。このカバー８は潤滑性に優れたＰＯＭ（ポリアセタール樹脂）から成り、このカバー８をガイドレール６に嵌め入れてベース４に沿ってスライダー５をスライド自在に案内している。また、スライダー５の折曲片７を被覆するカバー８をベース４のガイドレール６に嵌め入れることによって、ベース４とスライダー５との間の弾性手段が介在する隙間ｔを確保している。
【００３２】
前記弾性手段は平面内の一つの方向に弾性的に伸縮する板状バネ１０で構成され、金属製の帯板をプレス加工などで打ち抜いて一体成形している。この板状バネ１０は、図２に示すように、前記板状バネ１０の伸縮方向に対して交差方向に並設する複数の縦片１１の一端部を交互に折り返して隣接する縦片１１が蛇行状に連続した波形部１２と、この波形部１２の両端部に位置して前記ベース４とスライダー５に枢支するためにリング状に形成された取付部であるリング状部１３とから構成されている。また、縦片１１は比較的、狭いピッチで相互にほぼ平行するように折り返して形成され、その最も外側に位置する縦片１１の端部に形成した前記リング状部１３を前記ベース４とスライダー５とに形成されるボス部１４に回動自在に枢支している。このため、リング状部１３と、このリング状部１３に隣接する縦片１１とは、前記波形部１２が縮んだ際、前記リング状部１３が隣接する縦片１１に干渉し、そのリング状部１３と隣接する左右両側の縦片１１との間隔が狭いことから、縦片１１とリング状部１３とが当って波形部１２の縮み幅が狭くなってしまう。このため、リング状部１３と縦片１１との干渉を防止する目的で縦片１１の中央は前記リング状部１３との追突を迂回する屈曲部１５が形成されている。この屈曲部１５は、リング状部１３との干渉を避けることを目的とするものであるから、左右両側の縦片１１から内側の縦片１１に向かって次第に緩やかとなり、全体として左右対称に形成される。なお、本実施例においては、１１本の縦片１１が並んで波形部１２を構成し、左右両側に位置する６本（片側３本づつ）の縦片１１の中央部に位置して屈曲部１５が形成され、内側５本の縦片１１には屈曲部１５が形成されていない。また、各縦片１１は、折り返すターン部１６の幅ａより、各縦片１１の幅ｂを幅狭としている。すなわち、各縦片１１は、ターン部１６から各縦片１１の中央部に向かって次第に幅狭に形成され、各縦片１１の最も幅狭な中央部の幅ｂよりターン部１６の幅ａが大きい。さらに、図６（ａ）に示すように、最も外側に位置する左右両側の縦片１１の長さＬは、その内側に位置する縦片１１の長さＬ１より２ｍｍ（片側１ｍｍ）程度、短く形成されている。また、ベース４とスライダー５には、板状バネ１０のリング状部１３を枢支するボス部１４が形成され、ベース４側のボス部１４をかしめることによってベース４に板状バネ１０を回動自在に軸支する。そして、スライダー５のカバー８をベース４のガイドレール６に嵌め入れてベース４にスライダー５を組み付ける際、スライダー５側のボス部１４に板状バネ１０のリング状部１３を挿入する。これにより、ベース４とスライダー５に形成するボス部１４間に板状バネ１０が架設されるとともに、板状バネ１０はスライダー５のスライド動作に連動して波形部１２が変位し、スライダー５の始端位置の時にはこれを始端位置（蓋体部３の格納位置）の方向へ付勢し、スライダー５の終点位置（蓋体部３の開放位置）にはこれを終点位置の方向へ付勢するように動作するものである。
【００３３】
また、前記ベース４とスライダー５にはそれぞれ長方形状の開口部２０、２１がそれぞれ形成されており、前記スライダー５を格納位置と開放位置までスライドさせた際、前記各開口部２０、２１が相互に重なる共通の開口部２２が形成される。この共通の開口部２２は、本体部２と蓋体部３とに引き回した配線部材（図示せず）を通す挿通部として機能する。
【００３４】
以上のように構成されるスライダー機構の動作について説明する。図７（ａ）に示したように、スライダー５がベース４の始端位置にある時には、板状バネ１０の波形部１２が初期状態（伸び切った状態から適当量撓んだ状態）であり、スライダー５は板状バネ１０からの付勢力を受けて始点保持部材（図示しない）によって始端位置で保持される。これにより、本体部２と蓋体部３は格納状態（ＣＬＯＳＥ）で保持されている。
【００３５】
この状態から、スライダー５（蓋体部３）をスライドさせると、ベース４側のボス部１４の位置は変化しないが、スライダー５側のボス部１４の位置が可動することから、スライダー５のスライド移動に伴って板状バネ１０の波形部１２が幅方向に押され、図７（ｂ）に示したように、板状バネ１０のリング状部１３を枢支するベース４とスライダー５のボス部１４間の距離が最も狭い位置（ＣＥＮＴＥＲ）で各ボス部１４が横方向に並び、板状バネ１０の波形部１２が最も縮んだ状態となる。この波形部１２の弾性復元力によって、スライダー５は、ベース４の始端位置から波形部１２が最も縮んだ位置までの間は、スライダー５が押し戻され、スライダー５はベース４の始端位置へと付勢される。
【００３６】
板状バネ１０の波形部１２が最も縮んだ状態からさらにスライダー５を開放位置へとスライドさせていくと、板状バネ１０の波形部１２の位置がさらに時計方向へ旋回することによって、図７（ｃ）で示すように、スライダー５（蓋体部３）には板状バネ１０の波形部１２が伸びる弾性復元力が作用するため、スライダー５（蓋体部３）は開放方向へ付勢され、蓋体部３は自動的にスライドし、板状バネ１０の波形部１２が初期状態（伸び切った状態から適当量撓んだ状態）で終点保持部材（図示しない）によって終点位置で保持される。これにより、蓋体部３の全開位置（ＯＰＥＮ）で付勢保持され、蓋体部３は、板状バネ１０の弾性力に抗して押し戻さなければ自然に元位置の方向へ戻ることはない。
【００３７】
蓋体部３を格納する場合には、図７（ｃ）から図７（ａ）へと逆の手順で蓋体部３の全開位置（ＯＰＥＮ）から板状バネ１０の弾性力に抗して蓋体部３を押し戻し、板状バネ１０の波形部１２の変位により、図７（ｂ）で示す板状バネ１０の波形部１２が最も縮んだ位置（ＣＥＮＴＥＲ）で一旦、板状バネ１０による弾性復元力がスライダー５に作用しなくなる。この波形部１２が最も縮んだ位置を越えると、板状バネ１０の波形部１２の変位により、スライダー５には再び板状バネ１０による弾性復元力が作用し、スライダー５（蓋体部３）が格納方向の付勢力が付与され、スライダー５はベース４の始端位置で保持される。これにより、蓋体部３が本体部２に対して格納状態（ＣＬＯＳＥ）で保持されている。
【００３８】
以上のように、本実施例においては、蓋体部３は本体部２に対して板状バネ１０の付勢力によって、波形部１２が最も縮んだ位置（ＣＥＮＴＥＲ）を境界として開放方向並びに格納方向の何れの方向にも付勢されることから、蓋体部３をセミオートで開閉されることが可能である。また、蓋体部３を付勢する板状バネ１０は、金属性帯板をプレス加工などで打ち抜いて一体成形することから成形加工が容易であるととともに、極めて薄く成形することができるため、ベース４とスライダー５との隙間ｔを可及的に狭く設定することができる。これにより、携帯電話機１の薄形化にも付与できるとともに、板状バネ１０によるスライダー５の始端（格納）位置、終端（開放）位置に於ける付勢力は、ターン数、すなわち、縦片１１の数が多ければ多いほど強く設定することが可能であるが、板状バネ１０のターン数は、ベース４（スライダー５）の大きさによって制約される。すなわち、図７（ｂ）で示すように、スライダー５のスライド動作に伴って、ベース４とスライダー５のボス部１４が横方向に並んだ位置が板状バネ１０の最も縮んだ位置であり、その各ボス部１４間の長さの範囲内で、より多くの縦片１１のターン数を確保することが重要となるが、板状バネ１０の両端にスライダー５のボス部１４に枢支するためのリング状部１３を形成する必要がある。そして、本実施例では、図６（ｂ）で示すように、板状バネ１０が最も縮んだ状態において、左右両側に位置する縦片１１と、その内側に位置する複数の縦片１１にリング状部１３との干渉を避ける屈曲部１５が形成され、かつ、各縦片１１が折り返すターン部１６の幅ａより、各縦片１１の中央部の幅ｂを幅狭とすることにより、板状バネ１０が最も縮んだ状態において、板状バネ１０の両端に形成するリング状部１３と各縦片１１との干渉を防止することができる。これにより、長さに制約される板状バネ１０において、各縦片１１の数、すなわち、板状バネ１０のターン数をより多く設けることが可能となり、板状バネ１０によるスライダー５の始端、終端位置に於ける蓋体部３の付勢力を高めることができる。特に、近年では、蓋体部３の表示手段３Ａが大形化するばかりでなく、カメラ機能などの付加機能も装備するなどに伴って蓋体部３の重量も増える傾向にあり、板状バネ１０による蓋体部３の付勢力を高めることで蓋体部３を安定的に付勢保持させることができる。また、最も外側に位置する左右両側の縦片１１の長さＬを、その内側に位置する縦片１１の長さＬ１より２ｍｍ程度、短く形成することによって、最も外側に位置する左右両側の縦片１１のバネ力を、その内側に位置する縦片１１のバネ力より弱めることができ、蓋体部３をスライドさせて波形部１２に縮小方向の力が加わった際、まず、最も外側に位置する左右両側の縦片１１が確実に撓むから、波形部１２に加わる力が分散することなく、各リング状部１３を結んだ波形部１２の中央方向に力が集中する。これにより、リング状部１３を結んだ波形部１２の中央方向に沿って直線的に変形し易くなるから、波形部１２が湾曲状に変形することなく、スムーズに変形するとともに、波形部１２が垂直方向（山形）に変形することなく、スライダー５に沿って平面的に変形して蓋体部３を安定的に付勢することができる。また、前記スライダー５を格納位置と開放位置までスライドさせた際、前記本体部４とスライダー５にそれぞれ形成した開口部２０、２１が相互に重なり合って共通の開口部２２が形成され、この開口部２２から本体部２と蓋体部３とを電気的に接続する配線部材（図示せず）を通すことができるから、配線部材の引き回し作業も容易である。さらに、蓋体部３の全開位置（ＯＰＥＮ）と格納状態（ＣＬＯＳＥ）での板状バネ１０の波形部１２は、始点保持部材と終点保持部材によって伸び切った状態から適当量撓んだ状態で保持されているから、蓋体部３の全開位置（ＯＰＥＮ）と格納状態（ＣＬＯＳＥ）において、蓋体部３には板状バネ１０によるバネ付勢力が加わる。したがって、蓋体部３の全開位置（ＯＰＥＮ）と格納状態（ＣＬＯＳＥ）において蓋体部３のガタ付き抑えて蓋体部３の変動を防止することができる。
【００３９】
以上、本発明の実施例を詳述したが、本発明は前記実施例に限定されるものではなく、本発明の要旨の範囲内で種々の変形実施が可能である。例えば、スライダー５やベース４の基本的形状やスライダー５やベース４のガイド機構の構成は前記実施例に限定されるものではなく、適宜選定すればよい。また、板状バネ１０における縦片１１の本数や全体形状なども前記実施例に限定されるものではない。さらに、前記実施例では、板状バネ１０を金属製の帯板をプレス加工などの打ち抜きによって成形した例を示したが、樹脂などによって射出成形あるいはエッチングやレーザー加工などの機械加工で形成して形成してもよい。
【図面の簡単な説明】
【００４０】
【図１】本発明の一実施例を示す携帯電話機の平面図である。
【図２】同上、スライド機構の分解斜視図である。
【図３】同上、スライド機構の組み付け状態を示す斜視図である。
【図４】同上、スライド機構のガイド機構を示す断面図である。
【図５】同上、スライド機構の断面図である。
【図６】同上、板状バネを示す斜視図であり、図６（ａ）は最も伸びた状態、図６（ｂ）は最も縮んだ状態を示している。
【図７】同上、スライド機構の動作を説明する斜視図であり、図７（ａ）はスライダーの始点位置、図７（ｂ）は板状バネが最も縮んだ中間位置、図７（ｃ）はスライダーの終点位置を示している。
【図８】同上、スライドした状態を示す携帯電話機の透視斜視図である。
【符号の説明】
【００４１】
１  携帯電話機
２  本体部
２Ａ  操作スイッチ群
３  蓋体部
３Ａ  表示手段
４  ベース
５  スライダー
６  ガイドレール（ガイド機構）
７  折曲片（ガイド機構）
１０  板状バネ（弾性手段）
１１  縦片
１２  波形部
１３  リング状部（取付部）
１５  屈曲部
１６  ターン部
ａ  ターン部の幅
ｂ  最も幅狭な縦片の幅
【図１】
2009081499.tif 000003
【図２】
2009081499.tif 000004
【図３】
2009081499.tif 000005
【図４】
2009081499.tif 000006
【図５】
2009081499.tif 000007
【図６】
2009081499.tif 000008
【図７】
2009081499.tif 000009
【図８】
2009081499.tif 000010